(57)【要約】【課題】省電力化を図ることのできるパネル一体型の音声出力装置を提供すること。【解決手段】所定の画像を表示する表示パネルを備え、表示パネル５を振動させて音声を出力する励震手段６とを備えたパネル一体型の音声出力装置４であって、表示パネルは、有機ＥＬパネル５で構成され、励震手段６は、内部に流体を封入する封入部、及び、前記封入部の一部を形成し、かつ、当該封入部の内側に向かって弾性変位可能な変位部を有する封入体６１１と、封入体６１１に応じて設けられ、かつ、変位部を弾性変位させて、有機ＥＬパネル５を振動させるピエゾ６１２とを有するマイクロポンプ６１を複数備える。このようなピエゾの駆動により、有機ＥＬパネルが振動板となって音声を出力する一方で、当該ピエゾの駆動に必要な電力は、他の励震手段に比べて低い。このため、画像音声出力装置の省電力化を図ることができる。【選択図】図４
2009194801.tif 000002
【特許請求の範囲】
【請求項１】
所定の画像を表示する表示パネルを備え、前記表示パネルを振動させて音声を出力する励震手段とを備えたパネル一体型の音声出力装置であって、
前記表示パネルは、有機ＥＬパネルで構成され、
前記励震手段は、
内部に流体を封入する封入部、及び、前記封入部の一部を形成し、かつ、当該封入部の内側に向かって弾性変位可能な変位部を有する封入体と、
前記封入体に応じて設けられ、かつ、前記変位部を弾性変位させて、前記有機ＥＬパネルを振動させるピエゾとを有するマイクロポンプを複数備えることを特徴とする音声出力装置。
【請求項２】
請求項１に記載の音声出力装置において、
前記励震手段は、
前記各封入部の一方の端面を覆い、かつ、前記変位部の弾性変位による前記流体の圧力変化に応じて、前記封入体とは反対側に弾性変位する弾性部材を備え、
前記弾性部材は、
前記弾性部材における前記有機ＥＬパネルに対向する面に突設され、かつ、当該有機ＥＬパネルに当接する当接部を備え、
前記当接部は、
前記弾性部材より硬度が高く、かつ、前記弾性部材より断面積が小さいことを特徴とする音声出力装置。
【請求項３】
請求項１又は請求項２に記載の音声出力装置において、
入力される音声信号に基づいて、前記各ピエゾの駆動を制御するピエゾ制御部を備え、
前記ピエゾ制御部は、
前記音声信号に基づいて出力される音声の周波数に応じて、前記複数のピエゾを順次駆動させることを特徴とする音声出力装置。
【請求項４】
請求項１から請求項３のいずれかに記載の音声出力装置において、
入力される音声信号に基づいて、前記各ピエゾの駆動を制御するピエゾ制御部を備え、
前記ピエゾ制御部は、
前記音声信号に基づいて出力される音声の音量に応じた数の前記ピエゾを略同時に駆動させることを特徴とする音声出力装置。
【請求項５】
請求項１から請求項４のいずれかに記載の音声出力装置において、
前記有機ＥＬパネルは、
互いに略直交する複数の走査線及び複数の信号線と、前記複数の走査線及び前記複数の信号線の交差部近傍に設けられ、かつ、前記走査線及び前記信号線により印加された電圧に応じて発光する複数の画素とを有する略矩形のパネル本体と、
前記複数の走査線に電圧を印加する第１印加手段と、
前記複数の信号線に電圧を印加する第２印加手段とを備え、
前記第１印加手段及び前記第２印加手段は、前記パネル本体における互いに交差する各辺に沿って配置され、
前記励震手段は、
前記パネル本体における対角線上で、かつ、前記各辺が交差する角部とは反対側の角部近傍を基点として振動させることを特徴とする音声出力装置。
【発明の詳細な説明】
【技術分野】
【０００１】
本発明は、所定の画像を表示する表示パネルを備え、前記表示パネルを振動させて音声を出力する励震手段とを備えたパネル一体型の音声出力装置に関する。
【背景技術】
【０００２】
従来、テレビジョン受像機や、ＰＣ（Personal Computer）等に接続されるディスプレイ等の画像音声出力装置が知られている。このような画像音声出力装置は、入力される画像信号及び音声信号のうち、当該画像信号に応じた画像を表示する液晶パネル及び有機ＥＬ（electroluminescence）パネル等の表示手段と、当該音声信号に応じた音声を出力するスピーカ等の音声出力手段とを備えている。
しかしながら、このような画像音声出力装置では、画像表示手段と、音声出力手段とをそれぞれ個別に設けているので、部品点数の増加を招き、製造コストの高額化を招くほか、画像音声出力装置が大型化するという問題がある。
【０００３】
これに対し、画像表示手段としての液晶パネルを覆うカバーガラスを振動させて、音声を出力する構成が提案されている。しかしながら、このような構成では、カバーガラスと液晶パネルとの間に形成される隙間により、外光の反射や画像の映り込みが生じてしまい、表示画像が劣化するという問題がある。
この問題に対しては、当該隙間に充填材を封入して、カバーガラスと液晶パネルとを一体化し、これらを振動させる構成が考えられるが、このような構成では、振動板として機能するはずのカバーガラス単体を振動させることができず、また、画像表示手段全体を振動させるにしても、音声出力に際して大きな駆動力が必要になるという問題がある。
【０００４】
これに対し、画像表示手段として軽量な有機ＥＬパネルを採用し、当該有機ＥＬパネルを振動させることで音声を出力するスピーカ一体型表示装置が知られている（例えば、特許文献１参照）。
この特許文献１に記載の表示装置では、可動コイル及び磁石から構成される励震装置により有機ＥＬパネルを振動させることで音声を出力する。このような構成により、スピーカを別途設ける必要がなくなり、表示装置の製造コストを削減することができるとともに、当該表示装置の小型化を図ることができる。また、画像表示と音声出力とが同じ領域で行われるので、画像及び音声を違和感なく視聴することができる。
【０００５】
【特許文献１】特開２００７−１１０３８２号公報
【発明の開示】
【発明が解決しようとする課題】
【０００６】
しかしながら、特許文献１に記載の表示装置では、振動板としての有機ＥＬパネルを可動コイル及び磁石で振動させるため、大音量を出力することが可能である一方で、消費電力が大きいという問題がある。
【０００７】
本発明の目的は、省電力化を図ることのできるパネル一体型の音声出力装置を提供することである。
【課題を解決するための手段】
【０００８】
前記した目的を達成するために、本発明の音声出力装置は、所定の画像を表示する表示パネルを備え、前記表示パネルを振動させて音声を出力する励震手段とを備えたパネル一体型の音声出力装置であって、前記表示パネルは、有機ＥＬパネルで構成され、前記励震手段は、内部に流体を封入する封入部、及び、前記封入部の一部を形成し、かつ、当該封入部の内側に向かって弾性変位可能な変位部を有する封入体と、前記封入体に応じて設けられ、かつ、前記変位部を弾性変位させて、前記有機ＥＬパネルを振動させるピエゾとを有するマイクロポンプを複数備えることを特徴とする。
【０００９】
本発明によれば、各ピエゾが駆動して封入体を変位させることで、表示パネルである有機ＥＬパネルを振動させることができる。これによれば、当該有機ＥＬパネルを振動板として利用することができ、当該有機ＥＬパネルにより音声を出力することができる。
ここで、ピエゾの駆動に係る消費電力は、コイルの振動に係る消費電力に比べて小さい。また、有機ＥＬパネルは、画像形成にバックライトが必要な液晶パネルに比べて軽量及び薄型である。このため、有機ＥＬパネルの振動に必要な駆動力は大きくなくて済み、ピエゾの駆動によっても、十分に有機ＥＬパネルを振動させることができる。従って、音声出力に係る消費電力を低減化することができ、パネル一体型の音声出力装置の省電力化を図ることができる。
【００１０】
本発明では、前記励震手段は、前記各封入部の一方の端面を覆い、かつ、前記変位部の弾性変位による前記流体の圧力変化に応じて、前記封入体とは反対側に弾性変位する弾性部材を備え、前記弾性部材は、前記弾性部材における前記有機ＥＬパネルに対向する面に突設され、かつ、当該有機ＥＬパネルに当接する当接部を備え、前記当接部は、前記弾性部材より硬度が高く、かつ、前記弾性部材より断面積が小さいことが好ましい。
【００１１】
本発明によれば、複数のマイクロポンプを弾性部材により一体化することができ、これにより、見かけ上のシリンダ径を大きくすることができる。これによれば、各マイクロポンプの変位によって生じ、かつ、有機ＥＬパネルに伝えられる変位力を大きくすることができる。この変位力を当接部の一点で有機ＥＬパネルに伝えることができる。従って、有機ＥＬパネルを確実に振動させることができるだけでなく、当該有機ＥＬパネルの振幅を大きくすることができる。
【００１２】
本発明では、入力される音声信号に基づいて、前記各ピエゾの駆動を制御するピエゾ制御部を備え、前記ピエゾ制御部は、前記音声信号に基づいて出力される音声の周波数に応じて、前記複数のピエゾを順次駆動させることが好ましい。
本発明によれば、ピエゾ制御部により各ピエゾが個別制御され、出力される音声の周波数に応じて当該各ピエゾが順次駆動されるので、各ピエゾの変位によって生じるマイクロポンプの変位力が、それぞれ、異なるタイミングで有機ＥＬパネルに伝えられる。これによれば、有機ＥＬパネルの振動周波数を高めることができる。従って、高周波数の音声を確実に出力することができる。
【００１３】
本発明では、入力される音声信号に基づいて、前記各ピエゾの駆動を制御するピエゾ制御部を備え、前記ピエゾ制御部は、前記音声信号に基づいて出力される音声の音量に応じた数の前記ピエゾを略同時に駆動させることが好ましい。
本発明によれば、複数のピエゾの変位によって生じる各マイクロポンプの変位力は、有機ＥＬパネルに同時に伝えられる。これによれば、有機ＥＬパネルの振幅を一層大きくすることができるので、出力される音量を大きくすることができる。従って、音声の大出力（大音量での音声出力）を確実に行うことができる。
【００１４】
本発明では、前記有機ＥＬパネルは、互いに略直交する複数の走査線及び複数の信号線と、前記複数の走査線及び前記複数の信号線の交差部近傍に設けられ、かつ、前記走査線及び前記信号線により印加された電圧に応じて発光する複数の画素とを有する略矩形のパネル本体と、前記複数の走査線に電圧を印加する第１印加手段と、前記複数の信号線に電圧を印加する第２印加手段とを備え、前記第１印加手段及び前記第２印加手段は、前記パネル本体における互いに交差する各辺に沿って配置され、前記励震手段は、前記パネル本体における対角線上で、かつ、前記各辺が交差する角部とは反対側の角部近傍を基点として振動させることが好ましい。
【００１５】
本発明によれば、励震手段は、第１印加手段及び第２印加手段を避けて配置されるので、当該第１印加手段及び第２印加手段による走査線及び信号線への電圧印加が妨げられることを防ぐことができる。従って、有機ＥＬパネルによる画像表示を確実に行うことができる。
また、励震手段が、パネル本体の角部近傍に設けられているので、当該励震手段は、パネル本体の角部近傍にて当接する。これによれば、励震手段によって生じるパネル本体の振動が当該角部近傍を基点として生じるので、振動をパネル本体の全体に伝播させやすくすることができる。従って、パネル本体の全面から音声を確実に出力することができる。
【発明を実施するための最良の形態】
【００１６】
〔１．第１実施形態〕
以下、本発明の第１実施形態を図面に基づいて説明する。
図１は、本実施形態に係る遊技機１を示す斜視図である。
本実施形態の遊技機１は、パチンコ機として構成され、ハンドル３５の操作に応じて射出装置により射出された遊技球が、遊技盤３１の盤面上を落下しつつ移動して、所定の入賞口に入賞した場合には、所定数の遊技球を払い出すものである。
この遊技機１は、図１に示すように、枠体２と、当該枠体２内に収納される遊技機本体３とを備えて構成されている。
【００１７】
〔遊技機本体の構成〕
遊技機本体３の前面側（遊技者に対向する側）には、遊技盤３１、当該遊技盤３１の前面を覆う前扉３２、上皿３３、下皿３４及びハンドル３５が設けられている。
遊技盤３１は、略円形状の側壁３１Ｂによって囲まれた遊技領域３１Ａを有し、当該遊技領域３１Ａには、射出装置（図示省略）によって射出された遊技球を案内するレール３１１が形成されている。また、遊技領域３１Ａに対応する遊技盤３１の盤面には、適所に遊技球の軌道を変更する複数の釘３１２が配設されている。
【００１８】
遊技領域３１Ａの略中央には、略横長長方形状の開口３１Ｃが形成されており、当該開口３１Ｃには、透光性の基板３１３が嵌め込まれている。この基板３１３の背面側には、後述する画像音声出力装置４が配置され、当該装置４により形成された画像は、基板３１３を介して観察される。
開口３１Ｃの左右両側及び下方略中央には、複数の入賞口３１４が設けられている。また、遊技領域３１Ａの下端には、入賞口３１４に入賞しなかった遊技球を回収するアウト口３１５が形成されている。
【００１９】
上皿３３及び下皿３４は、遊技機本体３の前面における略中央及び下方に設けられ、これら上皿３３及び下皿３４には、払出装置（図示省略）により遊技球が払い出される。
ハンドル３５は、遊技機本体３の前面における右側下方に設けられ、当該ハンドル３５を回動させると、射出装置（図示省略）がハンドル３５の回動角に応じた強さで、遊技球を前述のレール３１１に沿って遊技盤３１上に射出する。
【００２０】
図２は、遊技盤３１の背面側に設けられる画像音声出力装置４を示す横断面図である。
画像音声出力装置４は、画像表示機能及び音声出力機能を有する本発明のパネル一体型の音声出力装置である。この画像音声出力装置４は、制御装置９（図６）から入力するコマンドに応じた画像を形成及び表示する有機ＥＬパネル５と、当該有機ＥＬパネル５を振動させて音声を出力させる励震装置６と、有機ＥＬパネル５及び励震装置６を制御する制御手段７（図６参照）と、これらを内部に収納する筐体８とを備えている。
このうち、筐体８は、略直方体形状を有し、当該筐体８の後述するパネル５の画像形成領域に対応する部分には、開口８１が形成されている。この開口８１は、遊技盤３１の開口３１Ｃと略同じ大きさに設定されている。
【００２１】
図３は、有機ＥＬパネル５の構成を示す模式図である。
有機ＥＬパネル５は、図３に示すように、複数の走査線Ｖ及び複数の信号線Ｈを有し、当該各走査線Ｖ及び各信号線Ｈの交差部近傍に、当該走査線Ｖ及び信号線にそれぞれ接続される複数の画素がマトリクス状に配列されたパネル本体５１と、各走査線Ｖに接続される第１印加手段としてのＹドライバ５２と、各信号線Ｈに接続される第２印加手段としてのＸドライバ５３とを備えている。
そして、Ｙドライバ５２により走査線Ｖを介して所定の電圧が印加されて選択状態となった各画素に、Ｘドライバ５３により信号線Ｈを介して画像信号としての電圧が印加されると、当該画素を構成する有機ＥＬ素子が励起され、当該画素が発光する。このようにして、各画素を発光させることにより、パネル本体５１の全体で画像を形成及び表示する。すなわち、パネル本体５１には、マトリクス状に配列された各画素により画像形成領域が形成されている。
【００２２】
これらのうち、Ｘドライバ５３及びＹドライバ５２は、平面視略長方形状を有するパネル本体５１の長手方向の端縁、及び、当該長手方向に直交する短手方向の端縁に沿って、それぞれ配置されている。そして、このようなパネル本体５１を振動板として振動させて、音声を出力させる励震装置６は、当該Ｘドライバ５３及びＹドライバ５２が設けられた側とは反対側に設けられている。具体的に、励震装置６は、図３にて二点鎖線で示すように、Ｘドライバ５３及びＹドライバ５２にそれぞれ近接する端縁の辺が交差する角部を含むパネル本体５１の対角線上における当該角部とは反対側の角部近傍で、かつ、パネル本体５１の背面側（遊技盤３１とは反対側）に設けられている。
【００２３】
図４は、励震装置６の構成を示す模式図である。
励震装置６は、前述のように、有機ＥＬパネル５のパネル本体５１を振動させて、音声を出力させる本発明の励震手段であり、当該パネル本体５１に当接するように設けられている。この励震装置６は、図４に示すように、複数のマイクロポンプ６１と、当該複数のマイクロポンプ６１のパネル本体５１側に取り付けられる弾性部材６２とを備えている。
【００２４】
このうち、弾性部材６２は、全てのマイクロポンプ６１の一端側（後述する開口６１１２側）を一体的に覆う樹脂膜であり、それぞれのマイクロポンプ６１の駆動に応じてパネル本体５１側に弾性変位し、当該パネル本体５１を振動させる。この弾性部材６２におけるパネル本体５１に対向する面の略中央には、パネル本体５１に当接する略円錐形状の当接部６３が設けられている。
【００２５】
具体的に、当接部６３は、弾性部材６２の弾性変位によって生じる変位力を一点に集約させてパネル本体５１に伝えるものであり、殆ど弾性変位を生じない硬質な材料により形成されている。なお、本実施形態では、当接部６３は、略円錐形状を有するとしたが、これに限らず、略角錐形状及び略筒状でもよい。すなわち、弾性部材６２の弾性変位による変位力を当該弾性部材６２の断面積より小さい面積でパネル本体５１に伝えることができれば、他の形状でもよい。
【００２６】
図５は、マイクロポンプ６１の構成を示す模式図である。このうち、図５（Ａ）は、マイクロポンプ６１が駆動（変位）していない状態を示す図であり、図５（Ｂ）は、マイクロポンプ６１が駆動（変位）した状態を示す図である。
マイクロポンプ６１は、弾性部材６２を押圧して弾性変位させる。このマイクロポンプ６１は、インクジェットプリンタのプリンタヘッドに用いられるマイクロポンプを改良したものであり、図５に示すように、略直方体形状の封入体６１１と、当該封入体６１１に取り付けられるピエゾ６１２とを備えている。
【００２７】
このうち、封入体６１１は、内部に流体としての液体が封入された封入部６１１１を備え、当該封入部６１１１における弾性部材６２に対向する側の面には、開口６１１２が形成されている。また、当該開口６１１２が形成された面に交差する封入部６１１１の面には、ピエゾ６１２が取り付けられる凹部６１１３が形成されている。この凹部６１１３が形成された面は、封入体６１１内側への弾性変位が可能に形成されている。すなわち、この凹部６１１３は、ピエゾ６１２により変位する本発明の変位部に相当する。
【００２８】
ピエゾ６１２は、後述する制御手段７により印加される電圧に応じて変位して、封入体６１１の凹部６１１３底面を、収納体６１１の内側に変位させる。この凹部６１１３の変位により、図５（Ｂ）に示すように、当該封入部６１１１内部の液体が開口６１１２を介して封入体６１１から押し出される。このようにして押し出された液体により、弾性部材６２がパネル本体５１に近接する方向に変位して、当接部６３がパネル本体５１を振動させる。
なお、ピエゾ６１２の変位が解消された後は、図５（Ａ）に示すように、液体が封入部６１１１内部に戻り、弾性部材６２の変位が解消される。
【００２９】
図６は、制御手段７の構成を示すブロック図である。
制御手段７は、遊技機１全体を制御する制御装置９から入力するコマンドに基づいて、画像音声出力装置４を制御するものである。具体的に、制御手段７は、有機ＥＬパネル５の駆動を制御して、コマンドに応じた画像を形成及び表示させるほか、励震装置６の駆動を制御して、コマンドに応じた音声を出力させる。このような制御手段７は、ＣＰＵ及びメモリ等が実装された回路基板として構成されており、これら回路素子によって実現されるコマンド取得部７１、画像形成部７２、パネル制御部７３、音声生成部７４、ピエゾ制御部７５及び記憶部７６を備えている。
【００３０】
このうち、記憶部７６は、詳しい図示を省略したが、プログラムＲＯＭ（Read Only Memory）、ワークＲＡＭ（Random Access Memory）、ＣＧＲＯＭ（Character Generator ROM）及びＶＲＡＭ（Video RAM）等から構成されている。このうち、プログラムＲＯＭは、制御手段７での処理に必要な各種プログラム及びデータ（エンコード済みの音声データを含む）を記憶し、ワークＲＡＭは、当該処理において当該プログラム及びデータの少なくとも一部を記憶する。また、ＣＧＲＯＭは、表示画像に係るキャラクタ等の部分画像データを記憶し、ビデオＲＡＭは、１フレームに対応する画像データを記憶する。
【００３１】
コマンド取得部７１は、制御装置９から入力されるコマンドを取得する。そして、当該コマンド取得部７１は、取得されたコマンドが描画コマンドの場合には、当該描画コマンドに応じた画像を形成及び表示させる制御信号を画像形成部７２に出力し、また、当該取得されたコマンドが音声出力コマンドの場合には、当該音声出力コマンドに応じた音声を出力させる制御信号を音声生成部７４に出力する。
画像形成部７２は、記憶部７６のＣＧＲＯＭから部分画像データを取得し、入力された制御信号に応じた画像データをＶＲＡＭ上に生成する。
パネル制御部７３は、ドットクロック端子、Ｈｓｙｎｃ端子、ＤＥ端子、Ｖｓｙｎｃ端子及び画素データ端子を備え、当該各端子を介して、パネル本体５１を駆動するための駆動信号と、生成された画像データの各画素に応じた画素データ信号とを、パネル本体５１に出力する。
音声生成部７４は、入力された制御信号に応じた音声データを、前述の記憶部７６を参照して生成する。
【００３２】
ピエゾ制御部７５は、生成された音声データに基づいて、ピエゾ６１２に駆動信号としての電圧を印加する。この際、ピエゾ制御部７５は、当該音声データに基づく音声の周波数に応じて、複数のピエゾ６１２に所定の時間間隔をもって電圧を印加する。これにより、励震装置６が高周波で駆動することが可能となり、当該周波数でパネル本体５１が振動するので、高周波数の音声を出力することが可能となる。
なお、本実施形態では、ピエゾ制御部７５は、ピエゾ６１２を最大で４５ｋＨｚの駆動周波数で駆動できるように、当該各ピエゾ６１２に電圧を印加する。
【００３３】
また、ピエゾ制御部７５は、生成された音声データに基づく音声の音量に応じて、複数のピエゾ６１２に同時に電圧を印加する。これにより、複数のマイクロポンプ６１が同時に変位することとなるので、弾性部材６２の振幅が大きくなり、これに応じて、パネル本体５１の振幅が大きくなる。このため、パネル本体５１からの音声の大出力（大音量の音声出力）が可能となる。
【００３４】
以上説明した本実施形態の遊技機１によれば、以下の効果を奏することができる。
（１）各ピエゾ６１２が変位し、当該ピエゾ６１２が設けられた封入体６１１が変位することで、パネル本体５１を振動させる変位力が発生する。これによれば、パネル本体５１を振動板として利用して音声を出力することができる。
ここで、ピエゾ６１２の消費電力は、コイル等の駆動手段の消費電力に比べて小さく、また、パネル本体５１は、液晶パネルに比べて軽量及び薄型であるので、当該パネル本体５１を低消費電力で確実に振動させることができる。従って、省電力化を図ったパネル一体型の画像音声出力装置４を構成することができる。
また、このような励震装置６は、市場に流通するインクジェットプリンタのプリンタヘッドの一部を改良して構成することができるので、容易かつ安価に構成することができ、ひいては、画像音声出力装置４の製造コストを低減することができる。
更に、遊技盤３１に対する画像音声出力装置４の組立性及び分解性に優れているので、当該画像音声出力装置４のリユース及びリサイクルを容易に行うことができ、環境に配慮した構成とすることができる。
【００３５】
（２）複数のマイクロポンプ６１の開口６１１２側は、弾性部材６２により閉塞され、これらマイクロポンプ６１は、当該弾性部材６２により一体化される。これによれば、励震装置６のシリンダ径を大きくすることができ、各マイクロポンプ６１の変位によって生じた変位力を大きくすることができる。従って、当該変位力を当接部６３の一点でパネル本体５１に伝えることで、パネル本体５１を確実に振動させることができる。また、これにより、当該パネル本体５１の振幅を大きくすることができ、確実に音声を出力することができる。
【００３６】
（３）ピエゾ制御部７５は、生成された音声データに基づいて、各ピエゾ６１２を個別制御する。これによれば、各ピエゾ６１２を異なるタイミングで順次駆動することにより、有機ＥＬパネルの振動周波数を高めることができ、高周波数の音声を出力することができる。
【００３７】
（４）ピエゾ制御部７５が、複数のピエゾ６１２を同時に変位させ、複数のマイクロポンプ６１により生じた変位力を同時にパネル本体５１に伝達することができる。これによれば、パネル本体５１の振幅を大きくすることができ、音声の大出力（大音量での音声出力）を確実に行うことができる。
【００３８】
（５）励震装置６が、パネル本体５１においてＹドライバ５２及びＸドライバ５３が設けられる端部側を避けて配置されるので、これらＹドライバ５２及びＸドライバ５３による走査線及び信号線への電圧印加、すなわち、パネル本体５１の駆動が妨げられることを防ぐことができる。
また、励震装置６が、パネル本体５１の角部近傍の背面側に設けられているので、当該励震装置６の当接部６３を、パネル本体５１の角部近傍にて当接させることができる。これによれば、励震装置６によって生じるパネル本体５１の振動を、当該角部近傍を基点として、当該パネル本体５１全体に伝播しやすくすることができる。従って、パネル本体５１の全面から音声を確実に出力することができる。
【００３９】
（６）上記のような画像音声出力装置４を、遊技機１が備えていることにより、当該遊技機１にスピーカ等を別途設ける必要がない。これによれば、遊技機１の製造コストを削減することができる。また、遊技者は、画像が表示されている場合には、当該画像を注視する傾向にある。このため、当該画像を表示するパネル本体５１を振動板として利用して音声を出力することにより、遊技者の耳を自然と音声の出力源に向けさせることができる。従って、出力される音声を聞きやすくさせることができる。
また、小型の有機ＥＬパネル５をスピーカとして構成することができるので、遊技盤３１における四隅の非遊技領域（図示省略）に小型の画像音声出力装置４を配置することができる。これにより、当該四隅で映像及び音声を出力でき、遊技者の興趣を増すことができる。更に、当該非遊技領域に配置した画像音声出力装置４を遊技者側に傾けることにより、映像及び音声の指向性を高めることができる。
【００４０】
〔２．第２実施形態〕
次に、本発明の第２実施形態について説明する。
本実施形態に係る遊技機は、前述の遊技機１と同様の構成を備えるが、当該遊技機１では、励震装置６をパネル本体５１の背面側に配置する構成であったのに対し、本実施形態の遊技機では、励震装置をパネル本体５１の側方に配置する構成とした点で、当該遊技機と遊技機１とは相違する。なお、以下の説明では、既に説明した部分と同一または略同一である部分については、同一の符号を付して説明を省略する。
【００４１】
図７は、本実施形態に係る遊技機の画像音声出力装置４Ａを示す横断面図である。
本実施形態の遊技機は、画像音声出力装置４に代えて、画像音声出力装置４Ａを備える以外は、前述の遊技機１と同様の構成を備える。
画像音声出力装置４Ａは、本発明の音声出力装置であり、図７に示すように、有機ＥＬパネル５、励震装置６、制御手段７（図７では、図示省略）及び筐体８を備える他、レバー部材６Ａを備える。
このうち、励震装置６は、有機ＥＬパネル５を構成するパネル本体５１の側方で、かつ、Ｙドライバ５２及びＸドライバ５３を避けた位置に配置されている。そして、当該励震装置６により生じた変位力は、筐体８に回動自在に支持されたレバー部材６Ａにより、パネル本体５１に伝達される。このレバー部材６Ａと励震装置６とが、本実施形態では、本発明の励震手段に相当する。
【００４２】
レバー部材６Ａは、略Ｌ字状を有し、支持部材（図示省略）により、略中央が筐体８に回動自在に支持されている。このレバー部材６Ａの両端部６Ａ１，６Ａ２のうち、一方の端部６Ａ１には、励震装置６の当接部６３（図４）が当接している。また、他方の端部６Ａ２は、パネル本体５１の背面に当接されている。そして、当該端部６Ａ２におけるパネル本体５１に対向する側には、当接部６３と同様の当接部６Ａ３が設けられている。
【００４３】
このような本実施形態の遊技機によれば、前述の遊技機１が奏することのできる効果（１）〜（６）と同様の効果を奏することができる他、以下の効果を奏することができる。
（７）画像音声出力装置４Ａは、パネル本体５１の側方に励震装置６を設け、当該励震装置６の変位力をパネル本体５１の背面に伝達させるレバー部材６Ａを備える。これによれば、励震装置６がパネル本体５１の背面側に配置されている場合に比べ、筐体８の奥行き方向の寸法Ｌ（図７）を小さくすることができる。従って、画像音声出力装置４Ａの薄型化を図ることができる。
【００４４】
〔３．第３実施形態〕
次に、本発明の第３実施形態について説明する。
本実施形態に係る遊技機は、前述の第２実施形態に係る遊技機と同様の構成を備えるが、当該遊技機では、励震装置６をパネル本体５１の側方に配置し、略Ｌ字状のレバー部材６Ａにより、励震装置６で生じた変位力をパネル本体５１の背面に伝達する構成としたが、本実施形態に係る遊技機の画像音声出力装置では、楔型形状を有する伝達部材により、励震装置６で生じた変位力をパネル本体５１の背面に伝達する点で、本実施形態の遊技機と第２実施形態の遊技機とは相違する。なお、以下の説明では、既に説明した部分と同一または略同一である部分については、同一の符号を付して説明を省略する。
【００４５】
図８は、本実施形態に係る遊技機の画像音声出力装置４Ｂを示す横断面図である。
本実施形態の遊技機は、画像音声出力装置４に代えて、画像音声出力装置４Ｂを備える以外は、前述の遊技機１と同様の構成を備える。
また、画像音声出力装置４Ｂは、本発明の音声出力装置に相当し、図８に示すように、レバー部材６Ａに代えて伝達部材６Ｂを備える以外は、画像音声出力装置４Ａと同様の構成を備えている。そして、励震装置６は、有機ＥＬパネル５を構成するパネル本体５１の側方で、かつ、Ｙドライバ５２及びＸドライバ５３を避けた位置に配置されている。
【００４６】
伝達部材６Ｂは、楔型形状、すなわち、略直角三角柱形状を有する部材である。この伝達部材６Ｂにおける所定位置（例えば、前面側の角部又は中央部）は、支持部材（図示省略）により筐体８に回動自在に支持されており、当該伝達部材６Ｂは、励震装置６により生じた変位力をパネル本体５１の背面に伝達する。
具体的に、伝達部材６Ｂの軸方向から当該伝達部材６Ｂを見た際に、直角部分を挟む二辺のうちの一辺を形成する伝達部材６Ｂの面６Ｂ１は、励震装置６に対向するように配置され、当該面６Ｂ１は、励震装置６の当接部６３（図４）が当接する当接面として形成されている。また、斜辺を形成する伝達部材６Ｂの面６Ｂ２は、パネル本体５１の背面に対向するように配置され、パネル本体５１の背面に励震装置６の変位力を伝達して、当該パネル本体５１を振動させる振動伝達面として形成されている。これら面６Ｂ１及び６Ｂ２は、常に当接部６３及びパネル本体５１に当接しており、伝達部材６Ｂは、面６Ｂ１で受けた当接部６３の変位力を、面６Ｂ２を介して、当該変位力をパネル本体５１に伝達する。このような伝達部材６Ｂは、本実施形態においては、励震装置６とともに本発明の励震手段を構成する。
このような本実施形態の遊技機によれば、前述の効果（１）〜（７）と同様の効果を奏することができる。
【００４７】
〔４．実施形態の変形〕
本発明は前述の実施形態に限定されるものではなく、本発明の目的を達成できる範囲での変形、改良等は本発明に含まれるものである。
前記第１実施形態では、複数のマイクロポンプ６１を弾性部材６２によって一体化し、当該弾性部材６２の当接部６３によりマイクロポンプ６１の変位力を伝達して、パネル本体５１を振動させるとした。また、前記第２及び第３実施形態では、当該当接部６３に当接されるレバー部材６Ａ及び伝達部材６Ｂによりマイクロポンプ６１の変位力を伝達して、パネル本体５１を振動させるとした。しかしながら、本発明はこれらに限定されるものではない。例えば、各マイクロポンプ６１がパネル本体５１に当接するように配置し、それぞれが直接パネル本体５１を振動させるように構成してもよい。
【００４８】
前記各実施形態では、励震装置６によって生じた変位力は、パネル本体５１の背面におけるＹドライバ５２及びＸドライバ５３にそれぞれ近接する角部とは反対側の角部近傍に伝達されるとしたが、本発明はこれに限らない。すなわち、当該変位力が伝達される位置は、パネル本体５１の構成等を考慮して、適宜設定してよい。
【００４９】
前記第２実施形態では、励震装置６により生じた変位力をパネル本体５１の背面に、レバー部材６Ａを介して伝達する構成とし、また、前記第３実施形態では、伝達部材６Ｂを介して伝達する構成としたが、本発明は、これに限らない。すなわち、励震装置６により生じた変位力を伝達する部材の形状及び構成等は、適宜設定することができる。
【００５０】
前記各実施形態では、パネル一体型の画像音声出力装置４，４Ａ，４Ｂをパチンコ機として構成した遊技機に採用したが、本発明はこれに限らない。すなわち、パチスロ機として構成した遊技機に、画像音声出力装置４，４Ａ，４Ｂを採用してもよい。また、他の電子機器における画像表示及び音声出力の手段として、本発明を適用することも可能である。このような電子機器として、例えば、携帯電話機、車載用のナビゲーションシステム、テレビジョン受像機及びディスプレイ等に採用することも可能である。
【産業上の利用可能性】
【００５１】
本発明は、パネル一体型の音声出力装置に好適に利用することができる。
【図面の簡単な説明】
【００５２】
【図１】本発明の第１実施形態に係る遊技機を示す斜視図。
【図２】前記実施形態における画像音声出力装置を示す横断面図。
【図３】前記実施形態における有機ＥＬパネルの構成を示す模式図。
【図４】前記実施形態における励震装置の構成を示す模式図。
【図５】（Ａ）前記実施形態における駆動していない状態のマイクロポンプの構成を示す模式図。（Ｂ）前記実施形態における駆動した状態のマイクロポンプの構成を示す模式図。
【図６】前記実施形態における制御手段の構成を示すブロック図。
【図７】本発明の第２実施形態に係る遊技機の画像音声出力装置を示す横断面図。
【図８】本発明の第３実施形態に係る遊技機の画像音声出力装置を示す横断面図。
【符号の説明】
【００５３】
４，４Ａ，４Ｂ…画像音声出力装置、５…有機ＥＬパネル（表示パネル）、６…励震装置（励震手段）、６Ａ…レバー部材（励震手段）、６Ｂ…伝達部材（励震手段）、５１…パネル本体、５２…Ｙドライバ（第１印加手段）、５３…Ｘドライバ（第２印加手段）６１…マイクロポンプ、６２…弾性部材、６３…当接部、７５…ピエゾ制御部、６１１…封入体、６１２…ピエゾ、６１１１…封入部、６１１３…凹部（変位部）、Ｈ…信号線、Ｖ…走査線。
【図１】
2009194801.tif 000003
【図２】
2009194801.tif 000004
【図３】
2009194801.tif 000005
【図４】
2009194801.tif 000006
【図５】
2009194801.tif 000007
【図６】
2009194801.tif 000008
【図７】
2009194801.tif 000009
【図８】
2009194801.tif 000010